(57)【要約】【課題】コンセントの設置位置を容易に変更できる壁パネル及び壁構造を提供する。【解決手段】壁パネル１は、パネル本体１０とコンセント３を備える。パネル本体１０の下端部に、前方に開口し且つ左右に長くコンセント３を左右方向の位置を変更して配置可能な溝部７３が形成される。壁パネル１は、溝部７３においてコンセント３が配置されていない箇所を前側から覆う幅木６をさらに備える。【選択図】図１
2015033227.tif 000002
【特許請求の範囲】
【請求項１】
パネル本体とコンセントを備え、前記パネル本体の下端部に、前方に開口し左右に長く且つ前記コンセントを左右方向の位置を変更して配置可能な溝部が形成され、前記溝部において前記コンセント以外の箇所を前側から覆う幅木をさらに備えたことを特徴とする壁パネル。
【請求項２】
前記幅木に前記コンセントの前端部が嵌め込まれる嵌込孔が形成されたことを特徴とする請求項１に記載の壁パネル。
【請求項３】
請求項１又は請求項２に記載の壁パネルを、間仕切り壁として既設壁に隣接して増設した壁構造であり、前記既設壁の下端部に、当該既設壁の前面側に開口し且つ当該既設壁の左右方向に長い収納溝が形成され、この収納溝内に前記コンセントに電力を供給する給電部が設けられ、前記溝部が前記既設壁側に開口して前記収納溝に連通し、前記溝部に配置された前記コンセントが前記溝部及び前記収納溝に通された電線を介して前記給電部に接続され、前記既設壁に前記収納溝及び前記給電部を前記既設壁の前側から覆う既設壁用幅木が設けられたことを特徴とする壁構造。
【発明の詳細な説明】
【技術分野】
【０００１】
本発明は、コンセントが設けられる壁パネル、及びこれを備えた壁構造に関する。
【背景技術】
【０００２】
特許文献１には、表面部にコンセントを設置した壁パネルが開示されている。
【先行技術文献】
【特許文献】
【０００３】
【特許文献１】特開平９−１２１４２９号公報
【発明の概要】
【発明が解決しようとする課題】
【０００４】
ところで、壁パネルに設けられるコンセントの適切な設置位置は、利用者の好みや、部屋の用途、家具及び電気器具の配置等によって異なる。しかし、コンセントの設置位置を変更するには、手間を要する。その要因としては、コンセントを設置するには壁パネルの表面部にコンセント設置用の孔を設ける必要があること等が挙げられる。
【０００５】
本発明は前記事情に鑑みてなされたものであって、コンセントの設置位置を容易に変更できる壁パネル及び壁構造を提供することを課題とする。
【課題を解決するための手段】
【０００６】
上記課題を解決するために本発明の壁パネルは、パネル本体とコンセントを備え、前記パネル本体の下端部に、前方に開口し左右に長く且つ前記コンセントを左右方向の位置を変更して配置可能な溝部が形成され、前記溝部において前記コンセント以外を前側から覆う幅木をさらに備えたことを特徴とする。
【０００７】
また、前記幅木に前記コンセントの前端部が嵌め込まれる嵌込孔が形成されることが好ましい。
【０００８】
また、本発明の壁構造は、前記壁パネルを、間仕切り壁として既設壁に隣接して増設した壁構造であり、前記既設壁の下端部に、当該既設壁の前面側に開口し且つ当該既設壁の左右方向に長い収納溝が形成され、この収納溝内に前記コンセントに電力を供給する給電部が設けられ、前記溝部が前記既設壁側に開口して前記収納溝に連通し、前記溝部に配置された前記コンセントが前記溝部及び前記収納溝に通された電線を介して前記給電部に接続され、前記既設壁に前記収納溝及び前記給電部を前記既設壁の前側から覆う既設壁用幅木が設けられたことを特徴とする。
【発明の効果】
【０００９】
本発明に係る壁パネルは、コンセントを溝部の長手方向における位置を変更して配置して、所望の位置にコンセントを設けることができる。また、溝部におけるコンセント以外の箇所を幅木で覆って外観を良くすることができる。
【図面の簡単な説明】
【００１０】
【図１】本発明の実施形態の一例の壁構造の分解斜視図である。斜視図である。
【図２】同上の壁構造の斜視図である。
【図３】図２の要部拡大図である。
【図４】同上の壁パネルの要部斜視図である。
【図５】同上の壁パネルを示し、（ａ）はコンセント及び壁パネル用幅木を取り付ける前の状態を示す縦断面図であり、（ｂ）はコンセント及び壁パネル用幅木を取り付けた状態を示す縦断面図である。
【図６】同上の両面コンセントを設けた壁パネルを示し、（ａ）は前面側からの斜視図であり、（ｂ）は後面側からの斜視図である。
【図７】同上の片面コンセントを設けた壁パネルを示し、（ａ）は前面側からの斜視図であり、（ｂ）は後面側からの斜視図である。
【図８】他例の壁パネルを示し、（ａ）はコンセント及び幅木を取付けた状態を示す説明図であり、（ｂ）（ｃ）はコンセント及び幅木の位置を変更した状態を示す説明図である。
【図９】他例のコンセントを示し、（ａ）は正面図であり、（ｂ）は水平断面図である。
【図１０】（ａ）は同上のコンセントにプラグを挿入した状態を示す説明図であり、（ｂ）はカバーが突出位置まで移動した状態を示す説明図である。
【図１１】（ａ）は同上のプラグが接続されたコンセントのカバーを後方に押し込んだときの状態を示す説明図であり、（ｂ）はカバーから外れた保持部材によってプラグが前方に押し動かされた状態を示す説明図である。
【発明を実施するための形態】
【００１１】
以下、添付図面に基づいて本発明の実施形態につき説明する。図１〜図７に示される本実施形態の壁パネル１は、図２に示されるように間仕切り壁として増設される。この壁パネル１と既設壁２とで構成される壁構造にあっては、既設壁２に設けられた給電部２０から、壁パネル１に設けられたコンセント３に給電されるようになっている。
【００１２】
既設壁２は、例えば複数並べて設けられた壁パネルで構成される。図１に示されるように、既設壁２の下端部には、既設壁２の前方（室内側）に開口した収納溝２１が設けられている。収納溝２１は、既設壁２の左右方向に長く、例えば既設壁２の左右方向の全長に亘って設けられる。なお、収納溝２１は、既設壁２の左右方向の一部にのみ設けてあってもよい。
【００１３】
収納溝２１には、給電部２０が収納される。給電部２０は、例えば差込式の電線コネクタで構成される。給電部２０は、図示しない屋内電源に電線４０を介して接続される。給電部２０は、例えば、既設壁２を施工する際等に、収納溝２１に設けられる。
【００１４】
既設壁２の下端部には、収納溝２１及び給電部２０の前側を覆う幅木５が着脱自在に取り付けられる。
【００１５】
図２に示されるように、間仕切り壁は、既設壁２に直角に隣接するように設けられる。間仕切り壁は、複数並べて設けられた壁パネル１で構成される。各壁パネル１は、図１に示されるように、パネル本体１０、コンセント３、及び幅木６を備えている。以下、壁パネル１に設けられる幅木６を壁パネル用幅木６と記載し、既設壁２に設けられる幅木５を既設壁用幅木５と記載する。
【００１６】
パネル本体１０は、パネル材１００と、パネル材１００の下端面に沿って設けられた下縁材７とを備えている。パネル材１００は、上下に長い矩形板状に形成されている。パネル材１００としては、例えばパネル枠の両面に石膏ボード等の面板を固着したものが用いられる。なお、パネル材１００はこれに限られず、下地板の両面に表面板を固着したものや、無垢材等であってもよい。
【００１７】
下縁材７は、パネル本体１０の下端部を構成する。下縁材７は左右方向に長い長尺な部材であって、パネル材１００の左右方向の全長に亘って設けられている。下縁材７は、例えば金属製である。
【００１８】
図４に示されるように、下縁材７は、上横片部７０と、下横片部７１と、上横片部７０及び下横片部７１の後部同士を接続した縦片部７２で構成されており、長手方向に直交する断面が略Ｉ字状（横倒しのＨ字状）である。
【００１９】
下縁材７は、前後寸法がパネル材１００の厚みよりも小さく、平面視においてパネル材１００の厚みの範囲内に設けられている。下縁材７の上横片部７０は、上面がパネル材１００の下端面に当接され、この状態でパネル材１００の下端部に取り付けられている。
【００２０】
下縁材７には、前方に開口する前側の溝部７３と、後方に開口する後側の溝部７４が形成されている。両溝部７３、７４はコンセント３を収納する部分として利用される。以下、特に区別する場合には、前側の溝部７３を前溝部７３と記載し、後側の溝部７４を後溝部７４と記載する。
【００２１】
前溝部７３は、上横片部７０及び下横片部７１の夫々の縦片部７２よりも前方に突出した部分と、縦片部７２とで構成されている。後溝部７４は、上横片部７０及び下横片部７１の夫々の縦片部７２よりも後方に突出した部分と、縦片部７２とで構成されている。すなわち、パネル本体１０の下端部には、前溝部７３と後溝部７４が背中合わせにして形成されている。
【００２２】
図５に示されるように、上横片部７０において前溝部７３の上面部を構成する部分には、第一掛止部７００が形成されている。第一掛止部７００は、コンセント３が有する第一被掛止部３１が着脱自在に掛止される部分である。
【００２３】
下横片部７１において前溝部７３の下面部を構成する部分には、第二掛止部７１０が形成されている。第二掛止部７１０は、コンセント３が有する第二被掛止部３２が着脱自在に掛止される部分である。
【００２４】
第一掛止部７００は、上横片部７０の下面から後側に向かって一体に突出した突片部で構成されている。第二掛止部７１０は、下横片部７１の上面から後側に向かって一体に突出した突片部で構成されている。第一掛止部７００及び第二掛止部７１０は、前溝部７３の長手方向の全長に亘って形成されており、その断面形状は長手方向に亘って夫々同じである。
【００２５】
前溝部７３の長手方向における複数個所には、補強材として補強板１０１が取り付けられる。補強板１０１は前溝部７３の長手方向に直交する板状に形成されている。
【００２６】
補強板１０１は、上端部から上方に向かって突出した第一突部１０２と、下端部から下方に向かって突出した第二突部１０３を有している。
【００２７】
第一突部１０２は、第一掛止部７００と縦片部７２の上端部の間に嵌め込まれる。第二突部１０３は、第二掛止部７１０と縦片部７２の下端部の間に嵌め込まれる。これにより、補強板１０１は下縁材７に取り付けられ、下縁材７が補強板１０１によって補強される。
【００２８】
各補強板１０１の上下方向の中央部には、電線挿通部１０４が形成されている。電線挿通部１０４は、補強板１０１を左右方向に貫通し且つ前方に開口する凹部によって構成されている。
【００２９】
下縁材７の縦片部７２には、挿通孔７２０が下縁材７の長手方向に複数形成されている。図１の例では、挿通孔７２０が下縁材７の長手方向における両側と中央部の夫々に形成されている。
【００３０】
各挿通孔７２０は、縦片部７２を前後方向に貫通している。各挿通孔７２０は、縦片部７２の上下方向の中央部に形成されている。各挿通孔７２０の正面視形状は、略横長矩形状であり、コンセント３の正面視形状と略同じである。なお、補強板１０１は、前溝部７３の長手方向において挿通孔７２０が形成されていない部分に設けられる。図１に示される例では、補強板１０１は、各挿通孔７２０の両側に位置するように設けられている。
【００３１】
図５に示されるように、下縁材７の下横片部７１には、下方に開口する溝状部７１１が左右方向に亘って形成されている。壁パネル１は、既設の床面４１上に下横片部７１の下面を当接した状態で設置される。この際、下横片部７１と床面４１との間には、床面４１に対する摩擦係数が大きなジェルマット等の防振材１０５が設けられる。防振材１０５は、下横片部７１に形成された溝状部７１１に収納され、下横片部７１と床面４１との間で上下に圧縮される。
【００３２】
床面４１上に設置された複数の壁パネル１の前溝部７３は、一直線状に並べて配置されて互いに連通する。また、間仕切り壁のうち、最も既設壁２側に設置される壁パネル１の前溝部７３は、図１に示されるように既設壁２側に開口し、既設壁２の収納溝２１に連通する。
【００３３】
コンセント３は、外殻を構成するケース３０に図示しない電極（刃受け）を内装したものである。ケース３０は、左右に長い略矩形箱状に形成されている。
【００３４】
コンセント３（ケース３０）の前面には、図示しないプラグを挿入するためのコンセント口３３が左右に複数並べて形成されている。図示例では、コンセント３の前面に４口のコンセント口３３が形成されている。
【００３５】
コンセント３の左右両端面のうち、既設壁２と反対側を向く面となる一方の端面には、延長用コンセント口３４が形成されている。また、コンセント３の延長用コンセント口３４と反対側の端面には、電線４２の端部が接続されている。
【００３６】
図５に示されるように、コンセント３の上面部には、パネル本体１０の第一掛止部７００に着脱自在に掛止される第一被掛止部３１が形成されている。コンセント３の下面部には、パネル本体１０の第二掛止部７１０に着脱自在に掛止される第二被掛止部３２が形成されている。第一被掛止部３１及び第二被掛止部３２は、コンセント３の上面部から一体に突出した爪部により構成されている。
【００３７】
コンセント３は、図５（ｂ）に示されるように、下縁材７の挿通孔７２０に挿通される。これにより、コンセント３の前後方向の中間部は挿通孔７２０に嵌め込まれる。また、コンセント３の第一被掛止部３１は第一掛止部７００に掛止され、第二被掛止部３２は第二掛止部７１０に掛止される。さらに、コンセント３の上面は、第一被掛止部３１の下面に当接し、コンセント３の下面は、第二被掛止部３２の上面に当接する。これにより、コンセント３は、パネル本体１０の下縁材７に取り付けられる。
【００３８】
このように取り付けられたコンセント３は、下縁材７の縦片部７２よりも前方に突出した過半部が下縁材７の前溝部７３に収納され、縦片部７２よりも後側に突出した後端部が後溝部７４に収納される。
【００３９】
コンセント３は、パネル本体１０の下端部に左右方向に複数形成された挿通孔７２０のうちの任意の挿通孔７２０に嵌め込まれる。コンセント３をいずれの挿通孔７２０に嵌め込んだ場合にも、コンセント３は前記と同様に下縁材７に取り付けることができる。すなわち、施工者は、コンセント３が嵌め込まれる挿通孔７２０を選択することで、コンセント３をパネル本体１０の前溝部７３に対して左右位置を変更して取付けることができる。
【００４０】
図１に示されるように、コンセント３に接続された電線４２は、前溝部７３を通して既設壁２の収納溝２１に導入され、この後、収納溝２１に配置された給電部２０に接続される。ここで、電線４２の前溝部７３に収納される部分は、適宜補強板１０１の電線挿通部１０４に通される。
【００４１】
なお、電線４２を収納溝２１に通して給電部２０に接続する作業は、既設壁２から既設壁用幅木５を外した状態で行われる。また、コンセント３が給電部２０に近い位置に配置された場合、電線４２の余長部分ができることがあるが、この余長部分も前溝部７３や収納溝２１に収納される。
【００４２】
図５に示されるように、各壁パネル１の前溝部７３及び後溝部７４には、係合部７５が形成されている。係合部７５は、壁パネル用幅木６が有する被係合部６０が着脱自在に係合される部分である。
【００４３】
係合部７５は、溝部７３、７４の開口側端部の上下縁部の夫々の内面から突出している。各係合部７５は、下縁材７の長手方向に亘って形成されている。
【００４４】
図１に示されるように、各壁パネル１は、壁パネル用幅木６を複数有している。壁パネル用幅木６には、壁パネル１の前側に左右に並べて設けられるものと、壁パネル１の後側に左右に並べて設けられるもの（図６参照）とがある。前側の壁パネル用幅木６は、前溝部７３のコンセント３以外の箇所を前側から覆う。後側の壁パネル用幅木６は、後溝部７４のコンセント３以外の箇所を後側から覆う。前側の壁パネル用幅木６及び後側の壁パネル用幅木６には、共通の幅木が用いられる。
【００４５】
壁パネル用幅木６としては、第一幅木６１と第二幅木６２の二種類がある。第一幅木６１は、前溝部７３及び後溝部７４の夫々において、コンセント３に対応する箇所に設けられる。第二幅木６２は、前溝部７３及び後溝部７４の夫々において、コンセント３に対応しない箇所に設けられる。
【００４６】
第一幅木６１には、コンセント３の前後方向の端部を嵌め込むための嵌込孔６１０が形成されている。嵌込孔６１０の正面視形状は、略横長略矩形状であり、コンセント３の正面視形状と略同じである。
【００４７】
図５に示されるように、嵌込孔６１０の内周面は、室内側（溝部７３、７４と反対側）に行く程内方に位置するように傾斜したテーパー面６１１になっている。これに対して、コンセント３の前後両端部の外周面も、室内側程内方に位置するように傾斜したテーパー面３５になっている。
【００４８】
第一幅木６１には、溝部７３、７４の係合部７５に着脱自在に係合される被係合部６０が形成されている。被係合部６０は、第一幅木６１の上下両端部から溝部７３、７４側に向かって突出している。各被係合部６０は、第一幅木６１の長手方向に亘って形成されている。
【００４９】
図５（ｂ）に示されるように、第一幅木６１は、溝部７３、７４に室内側から取り付けられる。具体的には、上下の被係合部６０を溝部７３、７４の対応する係合部７５に係合することで、第一幅木６１は溝部７３、７４に取り付けられる。また、この際、第一幅木６１の嵌込孔６１０には、挿通孔７２０に嵌め込まれたコンセント３の前後方向の端部が嵌め込まれ、第一幅木６１のテーパー面６１１がコンセント３のテーパー面３５と接する。
【００５０】
このように第一幅木６１が取り付けられた状態におけるコンセント３の前後両面は、対応する嵌込孔６１０から室内側に露出する。
【００５１】
なお、前溝部７３に対応する第一幅木６１が取り付けられた状態では、この第一幅木６１の嵌込孔６１０に嵌め込まれたコンセント３の前面は、当該第一幅木６１の前面と面一となる。また、後溝部７４に対応する第一幅木６１が取り付けられた状態では、この第一幅木６１の嵌込孔６１０に嵌め込まれたコンセント３の後面は、当該第一幅木６１の後面と面一となる。
【００５２】
溝部７３、７４に取り付けられた第一幅木６１によって、溝部７３、７４におけるコンセント３の周囲部の室内側が覆われる。また、このように第一幅木６１を溝部７３、７４に取り付けた際、第一幅木６１の室内側の面は、パネル材１００の室内側の面と面一となる。
【００５３】
壁パネル１の各係合部７５及び第一幅木６１の各被係合部６０は、長手方向に亘って断面形状が同じである。このため、第一幅木６１は、溝部７３、７４の長手方向における位置を調節して取り付けられるようになっている。従って、コンセント３をいずれの挿通孔７２０に嵌め込んだ場合にも、このコンセント３に対応する位置に第一幅木６１を取り付けることができる。
【００５４】
また、第一幅木６１は上下対称形状である。さらに、各溝部７３、７４に形成される上下の係合部７５は、上下対称位置に形成され且つ上下対称形状である。このため、第一幅木６１は、溝部７３、７４に対して上下反転した状態でも取り付けられるようになっている。
【００５５】
図３に示されるように、第二幅木６２は、溝部７３、７４の長手方向において第一幅木６１が設けられていない箇所に取り付けられる。これにより、各溝部７３は、その内側に配置された電線４２も含めて、第一幅木６１と第二幅木６２によって長手方向の全長に亘る部分の室内側が覆われる。なお、図３の例では、第一幅木６１の両側に第二幅木６２が設けられている。
【００５６】
第二幅木６２の長手方向と直交する断面形状は、第一幅木６１と同じである。以下では、第二幅木６２における第一幅木６１と同一の構成については、同一の符号を付し、説明を省略する。
【００５７】
第二幅木６２には、嵌込孔６１０が形成されていない。例えば、第二幅木６２は、断面形状が同一の長尺物を適当な長さに切断することで形成される。なお、長さの異なる第二幅木６２を複数種類用意しておき、第一幅木６１の取付位置に応じてこれら第二幅木６２の中から選択された第二幅木６２を壁パネル１に設けるようにしてもよい。
【００５８】
また、図８に示されるように、第一幅木６１と第二幅木６２の長さを同じとし、第一幅木６１と第二幅木６２の取付位置を入れ替えてもよい。図８に示される例では、第一幅木６１の嵌込孔６１０が、第一幅木６１の長手方向における片側に形成されている。このため、第一幅木６１を溝部７３、７４に対して上下に反転して取り付けた場合、嵌込孔６１０の左右位置を変更できるようになっている。従って、第一幅木６１の取付位置の変更と、第一幅木６１の上下の反転とを組み合わせて、コンセント３を左右方向における様々な位置に取り付けることが可能となる。
【００５９】
例えば図８（ａ）に示される例では、壁パネル１の左右方向における片側に第一幅木６１が設けられている。ここで、第一幅木６１を図８（ｂ）に示されるように上下に反転して、溝部７３、７４に取り付けることで、コンセント３を異なる位置に設けることが可能となる。また、図８（ｃ）に示されるように、第一幅木６１を任意の第二幅木６２と入れ替えて取り付けることでも、コンセント３を異なる位置に設けることができる。なお、図８に示される例では、給電部２０は壁パネル１の溝部７３に設けられているが、図１に示される例と同様、給電部２０は既設壁２の収納溝２１に設けてもよい。また、図１に示される例においても、給電部２０を図８に示されるように壁パネル１の溝部７３に設けてもよい。
【００６０】
また、第二幅木６２は、複数の壁パネル１に跨って設けられてもよい。
【００６１】
図１に示されるように、コンセント３の電線４２を給電部２０に接続した後にあっては、既設壁２の収納溝２１に既設壁用幅木５が取り付けられる。これにより、収納溝２１内の給電部２０及び電線４２は既設壁用幅木５で覆われる。
【００６２】
壁パネル１には、複数種類のコンセント３の中から選択されたコンセント３を設けてもよい。本実施形態では、図６に示される片面用コンセント３に代えて、図７に示される両面用コンセント３をパネル本体１０に取り付けられるようになっている。
【００６３】
両面用コンセント３は、前後両面にコンセント口３３が形成されている。なお、両面用コンセント３のその他の構成は片面用コンセント３と同じである。また、両面用コンセント３は、片面コンセント３と同様に壁パネル１に設けられる。このような両面用コンセント３をパネル本体１０に取り付けた場合、壁パネル１の両面においてコンセント口３３を利用することが可能になる。
【００６４】
また、複数の壁パネル１によって構成された間仕切り壁には、図１に示される延長用コンセント３６を設けてもよい。なお、延長用コンセント３６は、コンセント３と同じ壁パネル１に設けられてもよいし、同一の間仕切り壁を構成する他の壁パネル１に設けられてもよい。
【００６５】
延長用コンセント３６の電線４２の端部には、コンセント３及び他の延長用コンセント３６に設けられた延長用コンセント口３４に接続可能なプラグ３６０が設けられている。なお、延長用コンセント３６のその他の構成は、コンセント３と同じである。また、延長用コンセント３６は、コンセント３と同様に壁パネル１に設けられる。
【００６６】
以上説明した本実施形態の壁パネル１は、パネル本体１０とコンセント３を備え、パネル本体１０の下端部に、前方に開口し左右に長く且つコンセント３を左右方向の位置を変更して配置可能な溝部７３が形成されている。また、溝部７３においてコンセント３以外の箇所を前側から覆う幅木６をさらに備えている。この壁パネル１にあっては、コンセント３を溝部７３の長手方向における位置を変更して配置して、所望の位置にコンセント３を設けることができる。また、溝部７３にはコンセント３に接続される電線４２を配置できる。さらに、溝部７においてコンセント３が配置されていない箇所を幅木６１で覆って外観を良くすることができる。
【００６７】
また、本実施形態のように幅木６１にコンセント３の前端部が嵌め込まれる嵌込孔６１０が形成されることが好ましい。このようにすると、幅木６１によりコンセント３の周囲部を覆うことができる。
【００６８】
また、本実施形態の壁構造は、壁パネル１を間仕切り壁として既設壁２に隣接して増設した壁構造であり、既設壁２の下端部に、既設壁２の前面側に開口し且つ既設壁２の左右方向に長い収納溝２１が形成されている。また、コンセント３に電力を供給する給電部２０が収納溝２１内に設けられる。また、溝部７３が既設壁２側に開口して収納溝２１に連通し、溝部７３に配置されたコンセント３が溝部７３及び収納溝２１に通された電線４２を介して給電部２０に接続される。また、既設壁２に収納溝２１及び給電部２０を既設壁２の前側から覆う既設壁用幅木５が設けられる。
【００６９】
この壁構造は、増設した壁パネル１に設けられたコンセント３を、溝部７３及び収納溝２１に通した電線４２を介して、既設壁用幅木５に設けられた給電部２０に接続することができ、これにより給電部２０からコンセント３に給電できる。また、既設壁２の収納溝２１に配置された給電部２０及び収納溝２１を通る電線４２を既設壁用幅木５で覆うことで、外観を良くすることができる。
【００７０】
なお、壁パネル１の厚みが薄い場合、コンセント３の厚みが大きいと、コンセント３を溝部７３に配置することが難しくなる。この場合、コンセント３として、以下のコンセント８を用いてもよい。
【００７１】
コンセント８は、図９に示されるように、ベース８０、保持部材８１、電極８２、付勢部材８３、及びカバー８４を備えている。
【００７２】
ベース８０は、図１等に示されるコンセント３のケース３０と同様に前溝部７３に取り付けられる。ベース８０は、絶縁性材料により形成されている。ベース８０は、前溝部７３の長手方向に長い矩形板状に形成されている。
【００７３】
コンセント８に接続されるプラグ９は、図１０に示されるように、プラグ本体９０と、プラグ本体９０の一面９００の両側から突出した端子９０１（以下、プラグ端子９０１と記載する）を備えている。プラグ端子９０１は金属製の栓刃である。
【００７４】
ベース８０の厚みは、プラグ本体９０から突出したプラグ端子９０１の突出長さよりも短い。
【００７５】
図９（ｂ）に示されるように、ベース８０の前面には、前方に開口した凹部８００が形成されている。凹部８００は、正面視で左右に長い略矩形状に形成されている。凹部８００の奥面部における左右両端部の間の部分には、一段後方に凹んだ凹み８０１が形成されている。
【００７６】
保持部材８１は、絶縁性材料により形成されている。保持部材８１は、凹部８００の奥部に収納される。保持部材８１は、ベース８０に対して移動できるよう他の部材に対して固定されない。保持部材８１は板状に形成されており、凹み８０１の奥面部に沿って配置される。保持部材８１の左右両端部の間の部分には、前方に突出した嵌合部８１０が形成されている。嵌合部８１０は、カバー８４が有する被嵌合部８４０が着脱自在に嵌合される部分となる。
【００７７】
電極８２は、プラグ端子９０１に接続される部分であって、金属製の刃受けで構成されている。電極８２は、凹部８００の左右両側に設けられる。
【００７８】
各電極８２はベース８０に取り付けられ、ベース８０に対して移動不能となる。各電極８２は、凹み８０１の前側で且つ保持部材８１の前側に設けられる。両電極８２と凹み８０１の奥面部の間に配置された保持部材８１は、図１１（ａ）に示されるように後面部が凹み８０１の奥面部に当接した位置と、図９（ｂ）に示されるように前面部が両電極８２の後端面に当接した位置との間において、前後方向に移動自在となる。
【００７９】
各電極８２には、プラグ端子９０１が差し込まれる差込溝８２０が形成されている。各電極８２の差込溝８２０は、前後方向に貫通している。
【００８０】
付勢部材８３は、凹部８００の左右両端部に夫々設けられている。各付勢部材８３は、前後方向に伸縮する圧縮ばねであり、その後端部は凹部８００の後端部（詳しくは凹部８００の奥面部の左右方向の端部）に連結されている。なお、本実施形態の付勢部材８３はばねであるが、ばね以外の弾性体等を付勢部材８３として用いても構わない。
【００８１】
カバー８４は、絶縁性材料によって形成されている。カバー８４の正面から見た外形は、凹部８００と略同大同形である。カバー８４の後面部における左右両端部は、対応する付勢部材８３の前端部に連結される。すなわち、カバー８４は、付勢部材８３を介して凹部８００の奥面部に連結され、凹部８００に対して前後方向に移動自在とされる。カバー８４は、図９（ａ）に示されるように凹部８００に収納された収納位置から、図１０（ｂ）に示されるように、凹部８００より突出した突出位置との間で移動自在とされる。
【００８２】
図９（ｂ）に示されるように、カバー８４において各電極８２に対応する箇所には、上下に長く後方に開口した電極収納溝８４１が形成されている。各電極収納溝８４１の横幅は、対応する電極８１の横幅と略同じであり、各電極収納溝８４１には、後方の対応する電極８２を出し入れ自在に収納できるようになっている。
【００８３】
各電極収納溝８４１の奥部の左右方向における中央部には、対応するプラグ端子９０１を挿通可能な端子挿通孔８４２が形成されている。端子挿通孔８４２は、電極収納溝８４１の奥部を前後方向に貫通しており、カバー８４の前面から前方に開口している。端子挿通孔８４２は、図９（ａ）に示されるように、縦長矩形状に形成されている。図９（ｂ）に示されるように、端子挿通孔８４２の横幅は、電極収納溝８４１の横幅よりも小さく、プラグ端子９０１の厚みと略同じである。
【００８４】
カバー８４の後面部には、保持部材８１の嵌合部８１０に着脱自在に嵌合される被嵌合部８４０が形成されている。被嵌合部８４０は、カバー８４の後面の左右両側から後方に向かって突出している。カバー８４は、両被嵌合部８４０を両嵌合部８１０の内側に嵌め込むことで、保持部材８１に取り付けられる。
【００８５】
カバー８４の前後長さは、凹部８００の奥行寸法よりも短い。このため、カバー８４は、図９（ｂ）に示されるように、凹部８００内に完全に収めた状態で配置することができる。カバー８４が図９（ｂ）に示される収納位置に配置されたとき、カバー８４の各電極収納溝８４１には、対応する電極８２が収納される。また、カバー８４の前面が、ベース８０の前面と面一となる。
【００８６】
カバー８４は、前記収納位置に配置されたとき、両被嵌合部８４０が両嵌合部８１０に嵌合して保持部材８１に取り付けられる。この取付状態においては、カバー８４は圧縮された付勢部材８３により前方へ付勢される。ただし、保持部材８１は、両電極８２の後端面に当接し、前方への移動が規制され、保持部材８１及びこれに取り付けられたカバー８４はこの位置で保持される。すなわち、カバー８４は、両電極８２によって前方への移動が規制された保持部材８１によって凹部８００に収納された収納位置に保持される。
【００８７】
カバー８４が前記収納位置に配置された状態にあるコンセント８には、プラグ９を接続することができる。この接続は、両プラグ端子９０１の先部を、カバー８４の対応する端子挿通孔８４２に前方から挿入することで行われる。
【００８８】
このようにすると、各プラグ端子９０１の先部は、図１０（ａ）に示されるように対応する差込溝８２０に挿入され、各プラグ端子９０１は対応する電極８２に接触する。このプラグ端子９０１の挿入は、プラグ端子９０１の先端部が電極８２よりも後方に突出する位置まで行われる。このように各プラグ端子９０１が電極８２の差込溝８２０に挿通されると、各プラグ端子９０１の突出先端部によって保持部材８１の嵌合部８１０が後方に押し動かされ、カバー８４の被嵌合部８４０と保持部材８１の嵌合部８１０の嵌合が外れる。すなわち、保持部材８１によるカバー８４の保持が解除され、カバー８４は前後方向に移動可能となる。そして、保持部材８１から外れたカバー８４は、両付勢部材８３の付勢力によって、図１０（ｂ）に示されるようにケース３０の前面より前方に突出した突出位置まで移動する。また、これに伴い、カバー８４の各電極収納溝８４１は対応する電極８２に沿って前方に移動し、これにより各電極８２は電極収納溝８４１の後方に配置される。
【００８９】
前記突出位置に配置されたカバー８４の前面は、プラグ本体９０のプラグ端子９０１が設けられた面９００に近接する。ここで、近接とは、カバー８４の前面がプラグ本体９０の面の近傍に配置されること、又はカバー８４の前面がプラグ本体９０の面９００に当接することを意味する。
【００９０】
また、カバー８４が突出位置に配置されたとき、プラグ本体９０から突出した各プラグ端子９０１の突出基部は、カバー８４の対応する端子挿通孔８４２及び電極収納溝８４１に収納される。このため、プラグ本体９０から突出した各プラグ端子９０１は、全部又は大部分がカバー８４によって覆われた非露出状態となる。
【００９１】
利用者は、コンセント８に接続されたプラグ９のプラグ本体９０を引っ張ることで、両プラグ端子９０１を電極８２及び端子挿通孔８４２から引き抜くことができる。ここで、利用者は、コンセント８に接続されたプラグ９を引き抜くにあたって、突出位置に配置されたカバー８４を図１１（ａ）に示されるように後方に押し込むことで、両プラグ端子９０１を電極８２及び端子挿通孔８４２から簡単に引き抜けるようになっている。
【００９２】
すなわち、利用者によって突出位置に配置されたカバー８４が後方に押し込まれると、カバー８４によって保持部材８１が凹み８０１の奥面部に当接するまで押し込まれる。また、さらにカバー８４が後方に押し込まれると、図１１（ａ）に示されるようにカバー８４の両被嵌合部８４０が保持部材８１の両嵌合部８１０に嵌合する。
【００９３】
そして、この状態で利用者によるカバー８４の後方への押込み力が解除されると、両付勢部材８３によりカバー８４及びこれに取り付けられた保持部材８１が前方に移動する。このカバー８４と保持部材８１の前方への移動は、図１１（ｂ）に示されるように、保持部材８１の前面が両電極８２の後端面に当接する位置まで行われる。このとき、保持部材８１によって両プラグ端子９０１の先端面が前方に押し動かされる。これにより、両プラグ端子９０１は、電極８２からわずかに抜け出た状態、すなわち、抜けやすい状態となり、利用者は、このプラグ９をコンセント８から簡単に引き抜くことが可能となる。
【００９４】
また、このようにプラグ９が引き抜かれると、カバー８４は、付勢部材８３の付勢力により保持部材８１が電極８２の後端面に当接する位置まで移動し、図９（ｂ）に示される状態に復帰する。なお、コンセント８のカバー８４は、利用者がコンセント８からプラグ９を引き抜いた後に、後方に押し込むことによっても、図９（ｂ）に示される状態に復帰させることができる。
【００９５】
以上説明したコンセント８は、前方に開口する凹部８００と、凹部８００に設けられてプラグ端子９０１に接触する電極８２と、凹部８００に設けられて電極８２を覆うカバー８４とを備えている。カバー８４は、電極８２に対応する位置に設けられて、プラグ端子９０１を挿入するための前後方向に貫通した端子挿通孔８４２を有している。カバー８４は、凹部８００に収納された収納位置から凹部８００より前方に突出した突出位置まで移動自在に設けられる。コンセント８は、カバー８４を前方に付勢する付勢部材８３と、カバー８４を収納位置で保持し且つこの保持を解除可能な保持部材８１とをさらに備えている。
【００９６】
このコンセント８は、プラグ端子９０１を端子挿通孔８４２に挿通して電極８２に接触させることで、プラグ９を接続することができる。また、保持部材８１によるカバー８４の保持を解除することで、付勢部材８３の付勢力によってカバー８４を凹部８００より前方に突出した突出位置に配置し、このカバー８４によりプラグ端子９０１の突出基部側を覆うことができる。また、カバー８４を凹部８００に収納された収納位置に配置し、このカバー８４を保持部材８１で保持することで、コンセント８の厚みを小さくすることができる。このため、コンセント８の非使用時においては、コンセント８の厚みを小さくしてコンセント８を邪魔になり難くすることができる。また、コンセント８の保管時においては、コンセント８の厚みを小さくして嵩張らないようにできる。
【符号の説明】
【００９７】
１  壁パネル
２  既設壁
３  コンセント
５  既設壁用幅木
６  壁パネル用幅木
１０  パネル本体
２０  給電部
２１  収納溝
４２  電線
６１  第一幅木
６２  第二幅木
７３  前溝部（溝部）
６１０  嵌込孔
【図１】
2015033227.tif 000003
【図２】
2015033227.tif 000004
【図３】
2015033227.tif 000005
【図４】
2015033227.tif 000006
【図５】
2015033227.tif 000007
【図６】
2015033227.tif 000008
【図７】
2015033227.tif 000009
【図８】
2015033227.tif 000010
【図９】
2015033227.tif 000011
【図１０】
2015033227.tif 000012
【図１１】
2015033227.tif 000013